【事件の表示】
　平成　５年特許願第５１８５２９号「ＣＤＭＡを用いる移動局支援切換え」拒絶査定不服審判事件〔平成　５年１０月２８日国際公開、ＷＯ９３／２１７３９、平成　６年１２月２２日国内公表、特表平　６−５１１６０９〕について、次のとおり審決する。
【結　論】
　本件審判の請求は、成り立たない。
【理　由】
１．手続きの経緯および本件発明の認定
　本件審判請求に係る特許出願は、１９９３年４月１６日（パリ条約による優先権主張、外国庁受理１９９２年４月１７日、米国）を国際出願日とする出願であって、その請求項１に係る発明（以下、「本願発明」という。）は、平成１４年７月２４日付けの手続補正書により補正された、特許請求の範囲の請求項１に記載されたとおりの次のものと認める。
「少なくとも１つの移動局と、少なくとも２つの基地局とを含むセル式移動無線電話通信システムにおいて、該移動局との符号分割マルチプルアクセス方式による通信を前記基地局の内の第１基地局から第２基地局へ切換える移動局支援ハンドオフ方法であって、
　該移動局において、前記少なくとも２つの基地局から同時に受信した第１周波数の信号をデコードし、かつそれらの相対信号強度を定量化するステップと、
　前記移動局から前記定量化された相対信号強度の各々を指示する信号を送信するステップと、
　各々の信号強度を指示する前記信号を前記少なくとも２つの基地局の１つにおいて受信し、該信号をネットワーク制御器へ送るステップと、
　該ネットワーク制御器において前記指示された信号強度の各々を処理して、前記移動局との通信を維持するために前記少なくとも２つの基地局の１つを選択するステップと、
を含む、通信の切換え方法。」
　
２．引用文献記載の発明
　これに対して、原査定の拒絶の理由に引用された、米国特許第５１０１５０１号明細書(発行日：１９９２年３月３１日）（以下、「引用例」という。パテントファミリー日本国特許第３０１４７５３号公報を参照。）には、図面と共に以下の事項が記載されている。
　
（Ａ）「BACKGROUND OF THE INVENTION 
I. Field of the Invention 
　The present invention relates to cellular telephone systems. More specifically, the present invention relates to a novel and improved system for controlling handoff in communications of cell-site stations with a mobile unit in a code division multiple access (CDMA) cellular telephone system.  」（１欄６〜１３行）
 （訳：発明の背景
I.発明の分野 本発明はセル電話システムに関する。特に、本発明はコード分割多元接続（ＣＤＭＡ）セル電話システムにおける移動体ユニットと複数のセルサイト局の通信におけるハンドオフを制御する新しい改良されたシステムに関する。）
　
（Ｂ）「In the conventional cellular telephone system, the handoff scheme implemented is intended to allow a call to continue when a mobile telephone crosses the boundary between two cells. The handoff from one cell to another is initiated when the cell-site receiver handling the call notices that the received signal strength from the mobile telephone falls below a predetermined threshold value. A low signal strength indication implies that the mobile telephone must be near the cell border. When the signal level falls below the predetermined threshold value, the cell-site asks system controller to determine whether a neighboring cell-site receives the mobile telephone signal with better signal strength than the current cell-site.」（１欄６０行〜２欄５行）
 （訳：通常のセル電話システムにおいて行われるハンドオフ技術は、移動体電話機が２つのセルの間の境界を横断したときに通話を連続させるように意図されている。あるセルから他のセルへのハンドオフは、移動体電話から受信された信号強度が予め定められたしきい値より下になったことを通話を処理するセルサイト受信機が認めたときに開始される。低い信号強度表示は移動体電話がセル境界の近くになければならないことを意味する。信号レベルが予め定められたしきい値より下になったとき、セルサイトは隣接したセルサイトが現在のセルサイトより良好な信号強度を持つ移動体電話信号を受信するか否かを決定することをシステム制御装置に要求する。）
 　
（Ｃ）「In a CDMA cellular telephone system, the same frequency band is used for all cells. The CDMA waveform properties that provide processing gain are also used to discriminate between signals that occupy the same frequency band. A mobile telephone or unit thus need not switch frequencies when handoff of the call is made from one cell-site to another. Furthermore, the probability that the call will be discontinued if the handoff command is received in error is substantially reduced. 」（２欄５８〜６６行）
 （訳：ＣＤＭＡセル電話システムにおいて、同じ周波数帯域が全てのセルに対して使用される。同じ周波数帯域を占有する信号間を識別するために、処理利得を提供するＣＤＭＡ波形特性がまた使用される。したがって、移動体電話機またはユニットは通話のハンドオフがあるセルサイトから他のものに行われたときに周波数を切替える必要はない。さらに、ハンドオフ命令が誤って受信された場合に通話が中断される確率が実質的に減少する。）
　
（Ｄ）「In a CDMA cellular telephone system of the present invention, a soft handoff technique is implemented which also permits the mobile unit to initiate a handoff. The mobile unit is also permitted to determine the best new cell-site to which communications are to be transferred to from an old cell-site. Although it is preferred that the mobile unit initiate the handoff request and determine the new cell-site, handoff process decisions may be made as in the conventional cellular telephone system. As discussed previously with respect to conventional systems, the cell-site determines when a handoff may be appropriate and, via the system controller, request neighboring cells to search for the mobile unit signal. The cell-site receiving the strongest signal as determined by the system controller then accepts the handoff. 」（３欄２９〜４４行）
 （訳：本発明のＣＤＭＡセル電話システムにおいて、移動体ユニットがハンドオフを開始することを可能にするソフトハンドオフ技術が実現される。移動体ユニットはまた通信が古いセルサイトから転送される最もよい新しい通話位置を決定することを許される。
　移動体ユニットがハンドオフ要求を開始して、新しいセルサイトを決定することが好ましいが、ハンドオフ処理決定は通常のセル電話システムのように行われてもよい。通常のシステムに関して先に論じられたように、セルサイトはハンドオフが適切である時を決定し、システム制御装置を介して隣接したセルに移動体ユニット信号を探索することを要求する。システム制御装置によって決定される最も強い信号を受信したセルサイトがハンドオフを受ける。）
　
（Ｅ）「In the CDMA cellular telephone system, each cell-site transmits a pilot carrier signal. This pilot signal is used by the mobile units to obtain initial system synchronization and to provide robust time, frequency and phase tracking of the cell-site transmitted signals. 
　Each cell-site also transmits a setup channel comprised of spread spectrum modulated information, such as cell-site identification, system timing, mobile paging information and various other control signals. The pilot signal transmitted by each cell-site is of the same spreading code but with a different code phase offset. Phase offset allows the pilot signals to be distinguished from one another resulting in distinguishment between cell-sites from which they originate. Use of the same pilot signal code allows the mobile unit to find system timing synchronization by a single search through all pilot signal code phases. The strongest pilot signal, as determined by a correlation process for each code phase, is readily identifiable. The identified pilot signal corresponds to the pilot signal transmitted by the nearest cell-site. 」（３欄４５〜６５行）
（訳：ＣＤＭＡセル電話システムにおいて、各セルサイトは“パイロットキャリア”信号を送信する。このパイロット信号は最初のシステム同期を行い、セルサイト伝送信号の強健な時間、周波数および位相追跡を行うために移動体ユニットによって使用される。
　各セルサイトは、またセルサイト識別、システムタイミング、移動体ページング情報および種々の他の制御信号のような拡散スペクトル変調情報からなる“設定”チャンネルを提供する。各セルサイトから送信されたパイロット信号は同じ拡散コードであるが、異なるコード位相オフセットを持つ。位相オフセットによりパイロット信号が互いに識別できるようになり、結果的にそれらが生じたセルサイト間が識別される。同じパイロット信号コードを使用することにより、全パイロット信号コード位相を通じて一度の探索で移動体ユニットがシステムタイミング同期を発見することができる。各コード位相に対する相関処理によって決定されたような最も強いパイロット信号を容易に識別することができる。識別されたパイロット信号は最も近いセルサイトによって送信されたパイロット信号に対応する。）
　
（Ｆ）「The mobile unit continues to scan the received pilot carrier signal code at the code offsets corresponding to neighboring cell-site transmitted pilot signals. This scanning is done in order to determine if the pilot signal emanating from neighboring cells is becoming stronger than the pilot signal first determined to be strongest. If, while in this call inactive mode, a neighbor cell-site pilot signal becomes stronger than that of the initial cell-site transmitted pilot signal, the mobile unit will acquire the stronger pilot signal and corresponding setup channel of the new cell-site. 」（４欄１６〜２６行）
（訳：移動体ユニットは、パイロット信号を送信する隣接セルサイトに対応するコードオフセットにおいて、受信パイロットキャリア信号コードを連続的に走査する。この走査は、隣接したセルから生じたパイロット信号が、最初に最も強いと決定されたパイロット信号より強くなるか否かを決定するために行われる。この通話のインアクティブモードにおいて、隣接したセルサイトのパイロット信号が最初のセルサイトの送信パイロット信号よりも強くなった場合、移動体ユニットは強いパイロット信号および新しいセルサイトの対応した設定チャンネルを獲得する。）
　
（Ｇ）「 When a call is initiated, a pseudonoise (PN) code address is determined for use during the course of this call. The code address may be either assigned by the cell-site or be determined by prearrangement based upon the identity of the mobile unit. After a call is initiated the mobile unit continues to scan the pilot signal transmitted by cell-sites located in neighboring cells. Pilot signal scanning continues in order to determine if one of the neighboring cell-site transmitted pilot signals becomes stronger than the pilot signal transmitted by the cell-site the mobile unit is in communication with. When the pilot signal transmitted by a cell-site located in a neighboring cell becomes stronger than the pilot signal transmitted by a cell-site in the current cell, it is an indication to the mobile unit that a new cell has been entered and that a handoff should be initiated. In response to this pilot signal strength determination, the mobile unit generates and transmits a control message to the cell-site presently servicing the call. This control message, indicative that a new cell-site transmitted pilot signal is now stronger than the current cell-site transmitted pilot signal, is provided to the system controller. The control message further contains information identifying the new cell-site and PN code. The control message as relayed to the system controller is interpreted that a handoff in mobile unit communications to the identified new cell-site is to begin. 」 （４欄２７〜５３行）
（訳：通話が開始されたときに、この通話中に使用するために疑似（PN）コードアドレスが決定される。コードアドレスはセルサイトによって割当てられるか、あるいは移動体ユニットの識別符号に基づいた前取決めによって決定される。通話が開始された後、移動体ユニットは隣接したセル中に配置されたセルサイトによって送信されたパイロット信号を連続的に走査する。パイロット信号走査は、隣接したセルサイト送信パイロット信号の１つが、移動体ユニットが通信しているセルサイトによって送信されたパイロット信号より強くなるかどうかを決定するために連続して行われる。隣接したセルに配置されたセルサイトによって送信されたパイロット信号が、現在のセル中のセルサイトによって送信されたパイロット信号より強くなった場合、新しいセルに入り、ハンドオフが開始されなければならないことを移動体ユニットを示す。このパイロット信号強度決定に応答して、移動体ユニットは制御メッセージを発生し、現在通話をサービスしているセルサイトに伝送する。新しいセルサイト送信パイロット信号が現在のセルサイト送信パイロット信号より強いことを示すこの制御メッセージはシステム制御装置に供給される。制御メッセージはさらに新しいセルサイトおよびPNコードを識別する情報を含む。識別された新しいセルサイトへの移動体ユニット通信のハンドオフが開始されるべきであると、システム制御装置に中断される制御メッセージが翻訳される。）
　
（Ｈ）「The system controller now begins the handoff process. It should be understood that during handoff the PN code address of the particular mobile unit which is to undergo the handoff process need not change. The system controller begins the handoff by assisting in the assignment of a modem located in the new cell-site to the call. This modem is given the PN address associated with the call in communications between the mobile unit and the current cell-site modem. The new cell-site modem assigned to service the call searches for and finds the mobile unit transmitted signal. The cell-site modem also begins transmitting an outbound signal to the mobile unit. The mobile unit searches for this outbound signal in accordance with the signal and setup channel information provided by the new cell-site. When the new cell-site modem transmitted signal is acquired, the mobile unit switches over to listening to this signal. The mobile unit then transmits a control message indicating that handoff is complete. The control message is provided by either or both of the old and new cell-site modems to the system controller. In response to this control message the system controller switches the call over to the new cell-site modem alone while discontinuing the call through the old cell-site modem. The old cell-site modem then enters a pool of idle modems available for reassignment. 」（４欄５４行〜５欄１１行）
　（訳：システム制御装置はハンドオフ処理を開始する。ハンドオフ中、ハンドオフ処理を経験する特定の移動体ユニットのPNコードアドレスを変化させる必要はないことが理解されなければならない。システム制御装置は新しいセルサイトに配置されたモデムを通話に割当てることによってハンドオフを開始する。このモデムには、移動体ユニットと現在のセルサイトモデムとの間で通信している通話と関連されたPNアドレスが与えられる。通話をサービスするように割当てられた新しいセルサイトモデムは移動体ユニット送信信号を探索し、発見する。セルサイトモデムはまたアウドバウンド信号を開始する。移動体ユニットは新しいセルサイトによって提供された信号および設定チャンネル情報にしたがってアウトバウンド信号を探索する。
　新しいセルサイトモデム送信信号が獲得されたときに、移動体ユニットはこの信号のリスニングに切替えられる。移動体ユニットはハンドオフが終了したことを示す制御メッセージを送信する。制御メッセージは古いおよび新しいセルサイトのモデムの一方または両方によってシステム制御装置に与えられる。この制御メッセージに応答して、システム制御装置は新しいセルサイトモデムに通話を切替え、一方古いセルサイトモデムを通す通話を遮断する。古いセルサイトモデムは再割当てに利用できる一群の空きモデムとなる。）
　
（Ｉ）「Should mobile unit 18 move out of the coverage area of the initial cell-site, cell-site 16, an attempt is made to continue the call by routing the call through another cell-site. In the handoff process there are two different methods of initiating the handoff of the call or routing through another cell-site. 
　The first method, called the cell-site initiated handoff, is similar to the handoff method employed in the original first generation analog cellular telephone systems currently in use. In the cell-site initiated handoff method, the initial cell-site, cell-site 16, notices that the signal transmitted by mobile unit 18 has fallen below a certain threshold level. Cell-site 16 then transmits a handoff request to system controller 10. Controller 10 relays the request to all neighboring cell-sites, 14, 12 of cell-site 16. The controller transmitted request includes information relating to the channel, including the PN code sequence used by mobile unit 18. Cell-sites 12 and 14 tune a receiver to the channel being used by the mobile unit and measure the signal strength, typically using digital techniques. If one of cell-sites 12 and 14 receivers report a stronger signal than the initial cell-site reported signal strength, then a handoff is made to this cell-site.」（８欄１１〜３４行）
（訳：移動体ユニット18が最初のセルサイト16のカバレージ領域の外に移動したならば、別のセルサイトを通して通話をルーティングすることによって通話を継続するように試みられる。ハンドオフ処理において、通話のハンドオフを開始する、すなわち別のセルサイトを通してルーティングする２つの異なる方法がある。
　セルサイト開始ハンドオフと呼ばれる第１の方法は、現在使用されている原形の第１世代アナログセル電話システムにおいて使用されるハンドオフ方法に類似している。セルサイト開始ハンドオフ方法において、最初のセルサイトであるセルサイト16は移動体ユニット18によって送信された信号があるしきい値レベルの下になることを認知する。セルサイト16はシステム制御装置10にハンドオフ要求を送信する。制御装置10はセルサイト16の全ての隣接したセルサイト14、12に要求を中継する。制御装置の送信要求は移動体ユニット18によって使用されるPNコードシーケンスを含むチャンネルに関連した情報を含む。セルサイト12および14は移動体ユニットによって使用されているチャンネルに受信機を切替え、典型的にデジタル技術を使用して信号強度を測定する。セルサイト12および14の受信機の一方が最初のセルサイトの報告された信号強度より強い信号を報告した場合、ハンドオフはこのセルサイトに対して行われる。）
 
（Ｊ）「The second method of initiating a handoff is called the mobile initiated handoff. The mobile unit is equipped with a search receiver which is used to scan the pilot signal transmission of neighboring cell-sites 12 and 14, in addition to performing other functions. If a pilot signal of cell-sites 12 and 14 is found to be stronger than the pilot signal of cell-site 16, mobile unit 18 transmits a control message to the current cell-site, cell-site 16. This control message contains information identifying the cell-site of greater signal strength in addition to information requesting a handoff to this cell-site. Cell-site 16 transfers this control message to controller 10. 
　The mobile initiated handoff method has various advantages over the cell-site initiated handoff method. The mobile unit becomes aware of changes in paths between itself and the various neighboring cell-sites much sooner and with less effort than the cell-sites are capable of doing. However, to perform a mobile initiated handoff, each mobile unit must be provided with a searching receiver to perform the scanning function. However, in the exemplary embodiment described herein of a mobile unit CDMA communications capability, the search receiver has additional functions which require its presence. 」（８欄３５〜５８行）
（訳：ハンドオフを開始する第２の方法は移動体開始ハンドオフと呼ばれる。移動体ユニットは、他の機能を実行することに加えて隣接したセルサイト12および14のパイロット信号送信を走査するために使用される探索受信機を具備している。セルサイト12および14のパイロット信号がセルサイト16のパイロット信号より強いことが認められた場合、移動体ユニット18は現在のセルサイトであるセルサイト16に制御メッセージを送信する。この制御メッセージはこのセルサイトのハンドオフを要求する情報に加えて大きい信号強度のセルサイトを識別する情報を含む。セルサイト16は制御装置10にこの制御メッセージを送信する。
　移動体開始ハンドオフ方法は、セルサイト開始ハンドオフ方法にまさる種々の利点を有する。移動体ユニットは、セルサイトが行うことができるより速く小さい努力でそれ自身と種々の隣接したセルサイトとの間のパスにおける変化を認識する。しかしながら、移動体開始ハンドオフを実行するために各移動体ユニットは走査機能を実行するために探索受信機を具備していなければならない。しかしながら、移動体ユニットＣＤＭＡ通信能力を持つここに記載された実施例において探索受信機はその存在を要求する付加的な機能を有している。）
 　
（Ｋ）「Searcher receiver 44, under control of control processor 46 is for continuously scanning the time domain, around the nominal time of a received pilot signal of the cell-site, for other multi-path pilot signals from the same cell-site and for other cell-site transmitted pilot signals. Receiver 44 will measure the strength of any reception of a desired waveform at times other than the nominal time. Receiver 44 compares signal strength in the received signals. Receiver 44 provides a signal strength signal to control processor 46 indicative of the strongest signals. 
　Processor 46 provides control signals to digital data receivers 40 and 42 for each to process a different one of the strongest signals. On occasion another cell-site transmitted pilot signal is of greater signal strength than the current cell-site signal strength. Control processor 46 then would generate a control message for transmission to the system controller via the current cell-site requesting a transfer of the call, to the cell-site corresponding to the stronger pilot signal. Receivers 40 and 42 may therefore handle calls through two different cell-sites. 」（１０欄５〜２６行）
（訳：制御プロセッサ46の制御の下の探索受信機44は、同じセルサイトからの別のマルチパスパイロット信号に対して、および別のセルサイトの送信されたパイロット信号に対して、セルサイトの受信されたパイロット信号のほぼ公称時間で時間ドメインを連続的に走査するためのものである。受信機44は公称時間以外の時間における所望波形の任意の受信強度を測定する。受信機44は受信された信号の信号強度を比較する。受信機44は最も強い信号を示す信号強度信号を制御プロセッサ46に供給する。
　プロセッサ46は、最も強い信号の異なる１つをそれぞれ処理するデジタルデータ受信機40および42に信号を供給する。場合によっては別のセルサイトの送信パイロット信号が現在のセルサイト信号強度より大きい信号強度となる。そのときには制御プロセッサ46はより強いパイロット信号に対応したセルサイトへのセルの転送を要求する制御メッセージを発生し、現在のセルサイトを介してシステム制御装置へ送信する。したがって、受信機40および42は２つの異なるセルサイトを通して通話を処理する。）
　
　ここで、上記（Ａ）及び（Ｅ）の記載からみて、引用例に開示されたＣＤＭＡセル電話システムでは、セル内の通信信号、特にハンドオフに関わるセルサイト局から送信されるパイロット信号は複数のセルサイト局において同一の周波数であると認められる。また、各セルサイト局から送信された各パイロット信号は移動体ユニットにおいて受信され、かつデコードされて、それを生じたセイルサイト間が識別されるものと認められる。
　上記（Ｆ）、（Ｇ）、（Ｈ）、（Ｉ）、（Ｊ）、及び（Ｋ）の記載によれば、移動体ユニットは、隣接したセル中に配置されたセルサイト局によって送信されたパイロット信号を連続的に走査し、隣接したセルサイト送信パイロット信号の１つが移動体ユニットが通信しているセルサイト局によって送信されたパイロット信号より強くなるかどうかを決定し、このパイロット信号強度決定に応答して、移動体ユニットは、セルサイト局のハンドオフを要求する情報と大きい信号強度のセルサイト局を識別する情報を含む制御メッセージを発生し、セルサイト局を介して、新しいセルサイト送信パイロット信号が現在のセルサイト送信パイロット信号より強いことを示すこの制御メッセージがシステム制御装置に供給され、この制御メッセージによりシステム制御装置はハンドオフ処理を開始し新しいセルサイト局に切換えることが開示されているものと認められる。
　
　してみると、引用例には、
　
　移動体ユニットと、複数のセルサイト局を含むセル電話システムにおいて、
該移動体ユニットとのＣＤＭＡ方式による通信を前記複数のセルサイト局の内の第１のセルサイト局から第２のセルサイト局へ切換えるハンドオフ方法であって、
　前記移動体ユニットにおいて、
前記複数のセルサイト局から同時に受信した同一周波数の信号をデコードし、かつそれらの信号の内、隣接したセルサイト送信信号の１つが、移動体ユニットが通信しているセルサイト局によって送信された信号より強くなるかどうかを決定し、
　前記移動体ユニットから、セルサイト局のハンドオフを要求する情報と大きい信号強度のセルサイト局を識別する情報を含む制御メッセージを発生して送信し、
　前記制御メッセージ信号を前記複数のセルサイト局の１つにおいて受信し、該信号をシステム制御装置へ送り、
　該システム制御装置において、前記制御メッセージを処理して、前記移動体ユニットとの通信を維持するために前記複数のセルサイト局の内の１つに切換えることを含む、ハンドオフ方法。
　
という発明（以下「引用例記載の発明」という。）が記載されているものと認める。
　
３．本願発明と引用例記載の発明との対比
　本願発明と引用例記載の発明とを対比すると、
　両者は、共に、ＣＤＭＡ方式のセル式移動無線電話通信システムにおける通信のハンドオフ方法に係るものである点で共通しており、
　引用例記載発明の「移動体ユニット」、「セルサイト局」、「セル電話システム」、「ＣＤＭＡ方式」、及び「システム制御装置」は、それぞれ本願発明の「移動局」、「基地局」、「セル式移動無線電話通信システム」、「符号分割マルチプルアクセス方式」、及び「ネットワーク制御器」に相当する。
　
　したがって、両者は、
　
  少なくとも１つの移動局と、少なくとも２つの基地局とを含むセル式移動無線電話通信システムにおいて、該移動局との符号分割マルチプルアクセス方式による通信を前記基地局の内の第１基地局から第２基地局へ切換えるハンドオフ方法であって、
　該移動局において、前記少なくとも２つの基地局から同時に受信した第１周波数の信号をデコードし、かつそれらの相対信号強度に関わる情報を得るステップと、
　前記移動局から前記相対信号強度に関わる情報を指示する信号を送信するステップと、
　相対信号強度に関わる情報を指示する前記信号を前記少なくとも２つの基地局の１つにおいて受信し、該信号をネットワーク制御器へ送るステップと、
　該ネットワーク制御器において前記指示された相対信号強度に関わる情報を処理して、前記移動局との通信を維持するために前記少なくとも２つの基地局の１つに切換えるステップと、
を含む、通信の切換え方法。
　
の点で一致するものと認める。
　
　一方、両者は以下の点で相違するものと認める。
　
＜相違点＞
　本願発明のハンドオフ方法は、移動局支援タイプのもの、つまり、移動局は、少なくとも２つの基地局から信号について相対信号強度を定量化して、その各々を基地局を介してネットワーク制御器へ送り、ネットワーク制御器が上記定量化された相対信号強度の各々により移動局との通信を維持するための基地局の選択を行っているのに対して、
　引用例記載の発明のハンドオフ方法は、隣接した基地局送信信号の１つが、移動局が通信している基地局によって送信された信号より強くなるかどうかを決定し、前記移動局から、セルサイト局のハンドオフを要求する情報と大きい信号強度のセルサイト局を識別する情報を含む制御メッセージを、基地局を介してネットワーク制御器に送り、ネットワーク制御器において、前記制御メッセージを処理して、前記移動体ユニットとの通信を維持するために前記複数のセルサイト局の内の１つに切換えるところの移動局主導タイプのものであって、本願発明のごとくの移動局支援タイプのものではない点。
　
４．相違点の判断
　上記相違点について検討する。
　上記引用例（２．（Ｄ）の記載を参照。）には、「移動体ユニットがハンドオフ要求を開始して、新しいセルサイトを決定することが好ましいが、ハンドオフ処理決定は通常のセル電話システムのように行われてもよい。通常のシステムに関して先に論じられたように、セルサイトはハンドオフが適切である時を決定し、システム制御装置を介して隣接したセルに移動体ユニット信号を探索することを要求する。システム制御装置によって決定される最も強い信号を受信したセルサイトがハンドオフを受ける。」という記載があり、この記載によれば、移動体ユニット（移動局）が、新しいセルサイトを決定することに換えて、従来技術である通常のシステム（上記２．（Ｂ）の記載を参照。）のごとく、ハンドオフを受けるセルサイト（基地局）をシステム制御装置が決定するように構成することが示唆されている認められる。
　また、引用例（上記２．（Ｅ）〜（Ｋ）の記載を参照。）には、移動体ユニットは各セルサイト局から送信されるパイロット信号を連続的に走査受信して、セルサイト間を識別し、各セルサイト局から受信された受信信号の強度を測定し、信号強度を比較して最も強い信号を識別することが開示されている。
　そして、木下耕太「３．ディジタル自動車電話を支える技術　システムネットワーク化技術」電子情報通信学会誌　Ｖｏｌ．７３，Ｎｏ．８、ｐｐ．８１２−８１８、１９９０年８月、電子情報通信学会（特に、８１８頁左欄１８〜２３行の「モバイルアシステッドハンドオフは，各移動機端末が複数の基地局から受信信号レベルを観測し，最も受信状況の良い基地局へ接続するように制御する方式である．この方式を用いることによって，制御局の処理および通信機能の簡素化が図れる．」という記載を参照。）」、古谷之綱　「３．ディジタル自動車電話を支える技術　無線回線制御技術」電子情報通信学会誌　Ｖｏｌ．７３，Ｎｏ．８、ｐｐ．８１９−８２３、１９９０年８月、電子情報通信学会（特に、８２２頁左欄１〜１４行の「すなわち通話中に移動機が周辺の基地局からの受信信号レベルを測定して基地局に報告し，基地局がどの基地局へハンドオフを行うかの判断を行うモバイルアシステッドハンドオフ方式が採用されている．移動機が１台の無線機で通話中に周辺の基地局からの信号を観測できるようにＴＤＭＡ方式が導入され，移動機は通信の空き時間を利用して観測を行う．図４にはＧＳＭシステムで用いられている移動機の動作を示す．ハンドオフをいっそう高速化するために，移動機が基地局を指定する移動機主導ハンドオフも検討されている．図３（ｂ）にはこの方式の動作を示す．」という記載を参照。）、及び、Grimlund O. Gudmudson B Handoff strategies in microcellular systems Vehicular Technology Conference 1991 Gateway to the FUture Technology in Motion 41st IEEE,  pp.505-510 （特に、５０６頁右欄１３〜２２行の「In GSM the handoff process is more decentralized.  Both the MS and the BS are supervising the received signal strength and the channel quality, i.e. RSSI and BER (bit error ratio).  Measurements of alterative BSs is made by the MS (RSSI).  The MS transmits the measurement results up to the BS twice a second.  The decisions however are still made in the fixed network (BS/MSC).  This method can be described as mobile assisted handoff (MAHO).  Both inter- and intracell handoffs are possible.  For GSM the handoff time is approximately 1s.　」（訳：ＧＳＭでは、ハンドオフ・プロセスはより地方分散されます。ＭＳとＢＳの両方は、受信信号の強度およびチャンネル品質、つまり、ＲＳＳＩおよびＢＥＲ(ビット・エラー率)、を監視しています。変化するＢＳの測定はＭＳ（ＲＳＳＩ）によってなされます。ＭＳは、測定結果を１秒に２度、ＢＳまで送信します。しかしながら、その決定は、今までどおりに固定ネットワーク（ＢＳ／ＭＳＣ）の中でなされます。この方法は、移動局に支援されたハンドオフ（ＭＡＨＯ）と称されます。セル間及びセル内のハンドオフの両方が可能です。ＧＳＭについては、ハンドオフ時間はほぼ１秒です。）という記載を参照。）に開示されているごとく、ＧＳＭシステムなどのセル式移動無線通信システムおいて、移動局が複数の基地局からの受信信号レベルを測定し、それらを基地局、制御局に伝えて、ハンドオフを行う基地局を判断し選択するというハンドオフ方法、つまり移動局支援タイプのハンドオフ方法は、周知技術であるから、上記引用例に記載されたＣＤＭＡセル電話システムにおいて、上記周知の移動局支援タイプのハンドオフ方法を採用して、移動局が受信し測定した少なくとも２つの基地局から���号について相対信号強度を定量化して、その各々を基地局を介してネットワーク制御器へ送り、ネットワーク制御器が上記定量化された相対信号強度の各々により移動局との通信を維持するための基地局の選択を行うように構成することは、当業者であれば容易に想到し得たことである。
　
　上記で検討したごとく、相違点は格別のものではなく、そして、本願発明の構成によってもたらされる効果も、引用例に記載された発明、及び周知技術から当業者であれば容易に予測可能なものに過ぎず格別なものとは認められない。　
　
５．結び
　以上のとおり、本願発明は、引用例記載の発明、及び周知技術に基づいて当業者が容易に発明をすることができたものであるから、特許法第２９条第２項の規定により特許を受けることができない。　
　よって、結論のとおり審決する。